(57)【要約】【課題】  装置本体の重量を軽減し、設置スペースの低減を図ることが可能な浴室空調装置を提供すること。【解決手段】  本発明に係る浴室空調装置１０は、浴室内の空気を循環用ファン２２の回転により導入し、ヒーター２４で加熱した後に浴室内に循環供給する循環ユニット２０と、浴室用吸入口３３より流入された空気を別設の換気設備８へと送出する送通経路３１が形成された換気ユニット３０と、浴室吸入口３３を有して循環ユニット２０の循環経路と換気ユニット３０の送通経路３１とを同一筐体内に独立に形成した本体部１１とを備えている。【選択図】  図２
2006046685.tif 000002
【特許請求の範囲】
【請求項１】
浴室内の空気をファンの回転により導入し、ヒーターで加熱した後に前記浴室内に循環供給する循環ユニットと、
浴室用吸入口より流入された空気を別設の換気設備へと送出する送通経路が形成された換気ユニットと、
前記浴室吸入口を有し、前記循環ユニットの循環経路と前記換気ユニットの前記送通経路とを同一筐体内に独立に設けた本体部と
を備えたことを特徴とする浴室空調装置。
【請求項２】
前記浴室用吸入口には、開閉可能な開閉手段が設けられていることを特徴とする請求項１に記載の浴室空調装置。
【請求項３】
前記換気ユニットに他室からの空気を前記送通経路に導く他室用吸入口を設け、他室空気及び浴室空気を前記換気設備へ導くようにしたことを特徴とする請求項１又は請求項２に記載の浴室空調装置。
【請求項４】
前記浴室用吸入口及び前記他室用吸入口の少なくともいずれかに開閉可能な開閉手段を備えたことを特徴とする請求項３に記載の浴室空調装置。
【請求項５】
前記他室用吸入口を閉鎖する閉鎖手段を備えたことを特徴とする請求項３又は請求項４に記載の浴室空調装置。
【発明の詳細な説明】
【技術分野】
【０００１】
本発明は、浴室内の空気をファンの回転により導入し、ヒーターで加熱した後に前記浴室内に循環供給する加熱・循環機能を有する浴室空調装置に関する。
【背景技術】
【０００２】
近年、衣類の乾燥等を行うための乾燥機能を有する浴室空調装置が、多くの浴室に設けられている。図６は、一般的な浴室空調装置１を示した断面図である。浴室空調装置１は、浴室天井２に設置されている。浴室空調装置１は、送風機３と、ダンパー４と、ヒーター（セラミックヒーター）５と、これらを収納する本体部６とを有している。
【０００３】
本体部６は、浴室の空気を導入する吸込口６ａと、ヒーター５により暖められた空気を排出する排出口６ｂとが底面に形成され、側面には、浴室外に空気を排気させるための排気口６ｃが形成されている。
【０００４】
送風機３は、吸込口６ａを臨む位置に設置される送風ファン３ａと、この送風ファン３ａを回転駆動させるための電動モータ３ｂとを備えており、送風ファン３ａの回転に伴って、浴室内の空気が本体部６内に導入される。
【０００５】
ダンパー４は、吸込口６ａを介して導入された空気の排出先を排出口６ｂ又は排気口６ｃのどちらかに切り換えるために設けられたものであり、ダンパー４は、図６に示す実線位置Ｐ１と、鎖線位置Ｐ２と、破線位置Ｐ３とに傾動することが可能となっている。
【０００６】
ヒーター５は排出口６ｂ近傍に設けられており、ダンパー４が実線位置Ｐ１まで傾動して送風ファン３ａにより導入された空気が排出口６ｂより排出される場合には、ヒーター５によって排出口６ａから排出される空気が加熱されて浴室暖房が行われる。
【０００７】
ダンパー４が、破線位置Ｐ３まで傾動されると、送風ファン３ａにより導入された空気が排気口６ｃへと導かれてダクト（図６の破線）を介して屋外へと排気される。
【０００８】
ダンパー４が、鎖線位置Ｐ２の位置（排出口６ｂと排気口６ｃとの間）まで傾動されると浴室暖房と浴室換気とが同時に行われるので、洗濯物を素早く乾燥させることが可能となる。
【０００９】
送風ファン３ａの回転制御、ダンパー４の傾動制御及びヒーター５の通電・非通電制御は、図示を省略したリモートコントローラで設定される運転モードに応じて実行される。
【特許文献１】特開平９−２９２１４８号公報（第２図）
【発明の開示】
【発明が解決しようとする課題】
【００１０】
しかしながら、上述した浴室空調装置１では、ダンパー４による風路切換手段及びダンパー４を駆動するための駆動機構が必要になるという問題があった。
【００１１】
また、ダンパー４を用いない浴室空調装置については、換気用のファンと循環用のファンとの別々のファンが必要となり、浴室空調装置の構造が複雑になるとともに、本体重量が増大し、装置本体が大型化してしまうという問題があった。
【００１２】
本発明は、上記課題に鑑みてなされたものであり、装置本体の重量を軽減し、設置スペースの低減を図ることが可能な浴室空調装置を提供することを課題とする。
【課題を解決するための手段】
【００１３】
上記課題を解決するために、本発明に係る浴室空調装置は、浴室内の空気をファンの回転により導入し、ヒーターで加熱した後に前記浴室内に循環供給する循環ユニットと、浴室用吸入口より流入された空気を別設の換気設備へと送出する送通経路が形成された換気ユニットと、前記浴室吸入口を有し、前記循環ユニットの循環経路と前記換気ユニットの前記送通経路とを同一筐体内に独立に設けた本体部とを備えたことを特徴とする。
【００１４】
また、前記浴室用吸入口には、開閉可能な開閉手段が設けられていてもよく、さらに、前記換気ユニットに他室からの空気を前記送通経路に導く他室用吸入口を設け、他室空気及び浴室空気を前記換気設備へ導くようにしてもよい。さらに好ましくは、前記浴室用吸入口及び前記他室用吸入口の少なくともいずれかに開閉可能な開閉手段を備えた構造とし、また、前記他室用吸入口を閉鎖する閉鎖手段を備えた構造としてしてもよい。
【発明の効果】
【００１５】
本発明に係る浴室空調装置によれば、換気ユニットと循環ユニットとの２つのユニットが本体部内に独立に設置されているので、浴室乾燥を循環ユニットで行いつつ、換気ユニットで他室から送られてきた空気を換気設備へと送出することができ、お互いの稼動状況に左右されることなく換気ユニットと循環ユニットとを使用することができる。
【００１６】
換気ユニットの送通経路を集風器（分岐チャンバー）として用いることができ、浴室に隣接したトイレや脱衣室などのサニタリー空間の換気を送通経路を通して行なうことができるので、浴室空調装置以外に、換気設備に繋がる集風器（分岐チャンバー）を新たに設ける必要がなくなり、設置スペースの効率化と設置負担の軽減を図ることが可能となる。
【００１７】
さらに、本発明に係る浴室空調装置には、換気ユニットに換気用のモータやファンを設ける必要がないので、浴室空調装置の重量の低減を図ることができると共に、構造の簡素化、小型化を図ることが容易となる。
【発明を実施するための最良の形態】
【００１８】
以下、本発明に係る浴室空調装置について図面を用いて説明を行う。
【００１９】
図１〜３は、本発明に係る浴室空調装置１０を示した図である。浴室空調装置１０の本体部１１は、略直方体形状を呈しており、底面部１１ａを天井面１２とほぼ面一となるようにして浴室天井に設置されている。底面部１１ａには、フロントパネル１３が設置されており、後述する換気ユニット３０に浴室内の空気を導入するための換気用吸入口１３ａと、浴室暖房を行う循環ユニット２０での空気の導入及び排出を行うための循環用吸入口１３ｂ、循環用吹出口１３ｃとが設けられている。循環用吸入口１３ｂ、循環用吹出口１３ｃには、浴室から交換可能なフィルタ１５が取り付けられている。
【００２０】
浴室空調装置１０は、図２、３に示すように、本体部１１内の下部であって循環用吸入口１３ｂ、循環用吹出口１３ｃを臨む位置に形成される循環ユニット２０と、循環ユニット２０の上方の空間を集風器（分岐チャンバー）として利用した換気ユニット３０とを備えている。
【００２１】
循環ユニット２０には、モータ２１とモータ２１の駆動に応じて回転される循環用ファン２２と、循環用ファン２２を収納するファンケース２３と、循環用ファン２２により導入された空気を加熱するヒーター２４とを備えている。ファンケース２３内には、循環用ファン２２が配設されており、循環用ファン２２は、ファンケース２３の上方に設置されるモータ２１の回転シャフト２１ａに取り付けられている。ファンケース２３の底部には、循環用吸入口１３ｂを臨む位置に浴室内の空気を導入するための導入開口部２３ａが形成されており、循環用ファン２２の回転に伴って導入開口部２３ａよりファンケース２３内に導入された空気は、ファンケース２３の側方に形成される吹出開口部２３ｂよりヒーター２４側へ送出される。ヒーター２４は、ファンケース２３より排出された空気を加熱してヒーター２４の下方に形成される環流風路２５を介して循環用吹出口１３ｃを通り浴室内へ循環吹出される。
【００２２】
換気ユニット３０は、本体部１１の上部空間（送通経路）３１と本体部１１内の下端部空間３２とで構成されており、この上部空間３１には換気用ファンが設けられていない。下端部空間３２には、換気用吸入口１３ａを臨む位置に換気用開口（浴室用吸入口）３３が形成されており、この換気用開口３３には開口の開閉を行う開閉手段としてのダンパー３４が設けられている。ダンパー３４はリモートコントローラの操作に応じて制御ユニットにより開閉度の調節が行われる。リモートコントローラを操作することによって、無線方式又は有線方式で制御ユニットに制御信号を送り、浴室空調装置１０の動作制御を行うことが可能となっている。浴室空調装置１０は、リモートコントローラに設けられる各種運転モードの選択に応じて、各種運転モードに応じた空調動作を行う。
【００２３】
浴室空調装置１０の上部側面には、１つの排気用開口４０ａと３つの他室用吸入口４１ａ、４２ａ、４３ａが形成されており、排気用開口４０ａには排気用ダクト４０が連結され、３つの他室用吸入口４１ａ、４２ａ、４３ａには導入用ダクト４１〜４３が連結されている。排気用ダクト４０は、図４に示す換気用ファンＦＲＡが設けられた換気設備８に繋がっており、導入用ダクト４１〜４３は、例えば、トイレ、洗面所、居室に設けられた換気用の空気吸入口に繋がっている。なお、他室用吸入口４１ａ、４２ａ、４３ａに図示しない開閉可能な開閉手段である開閉ダンパーを設けて、換気を行いたくない室内については、開閉ダンパーを閉じるようにしてもよい。開閉ダンパーにより他室用吸入口４１ａ、４２ａ、４３ａの開度調整を行えるようにして、各他室の吸い込み量の調節を行えるようにしてもよい。
【００２４】
導入用ダクト４１〜４３、換気ユニット３０、及び排気用ダクト４０は連通されており、導入用ダクト４１〜４３より換気ユニット３０内に運ばれて来た空気は換気ユニット３０の上部空間３１で合流し、換気設備８に設置される換気用ファンＦＲＡの回転に伴って換気ユニット３０から排気用ダクト４０を通って換気設備８に運搬される。なお、上部空間３１は、排気用開口４０ａ及び他室用吸入口４１ａ、４２ａ、４３ａの開口幅よりも横方向及び高さ方向の寸法が大きく、十分な容積を有しているので、導入用ダクト４１〜４３より導入された空気の流れを合流時に阻害させることなく換気設備８に送流させることができる。
【００２５】
換気設備８は、熱交換を行う熱交換型換気装置である。換気設備８の本体内部には、熱交換器（図示省略）及び換気用ファンＦＲＡと、室内へ空気を供給する給気用ファンＦＳＡとが設けられており、ダクト８ａを介して給気用ファンＦＳＡによって換気設備８本体に導入された外気は、ダクトＳＡを介して室内へ供給される構造となっている。供給された空気は、換気用ファンＦＲＡによって、ドアのアンダーカット部やガラリ部を通して、廊下等に設置された換気設備８本体の下面などに設けられた吸入口に導かれ、ダクト８ｂを通じて屋外へ排出される。
【００２６】
浴室空調装置１０の排気用ダクト４０は換気設備８の側面に設けられた浴室空気吸入口８ｃに繋がっており、浴室の空気は換気設備８を通って屋外に排出される。浴室空調装置１０に脱衣所、トイレ等の吸入口（他室用吸入口４１ａ、４２ａ、４３ａ）が設けられている場合には、各室の空気が換気ユニット３０の上部空間３１で浴室空気と合流して排気用ダクト４０を通して換気設備８に導かれ、屋外へ排出される。
【００２７】
換気設備８は、常時換気を行う２４時間換気機能が設けられており、連続的または断続的に２４時間換気を行っている。２４時間換気の換気量は、住宅全体や住宅の各フロア等の換気対象エリアの所定換気回数（例えば０．５回／時間）を満たすように制御されている。給気用ファンＦＳＡによる給気量と、換気用ファンＦＲＡの排出量とはほぼ同等量となっており、２４時間換気における給排気量のバランスが保たれている。
【００２８】
なお、換気設備８は外気を室内へ給気する給気用ファンＦＳＡを備えたものには限定されず、給気用ファンＦＳＡを備えない排気用の換気装置である中間ダクトファンのようなものであってもよく、換気用ファンＦＲＡが設けられているものであればどのようなものであってもよい。
【００２９】
上述したリモートコントローラの操作によって、運転モードの１つである換気モードが選択されると、浴室空調装置１０のダンパー３４が開位置に稼動され、浴室の空気が換気設備８の換気用ファンＦＲＡにより吸い込まれ、換気ニット３０の上部空間３１を通って換気設備８より屋外に排出される。
【００３０】
また、リモートコントローラの操作により暖房モードが選択されると、ダンパー３４が閉位置に稼動され、循環用ファン２２が回転し、ヒーター２４が通電して、循環用吸入口１３ｂを通じて導入開口部２３ａから吸い込まれた空気が暖められて循環用吹出口１３ｃより浴室内に吹き出される。これにより、入浴前に浴室内を暖める予備暖房として浴室空調装置１０を機能させることが可能となる。
【００３１】
さらに、予備暖房だけでなく、浴室空調装置１０を入浴中の暖房として利用しても良い。入浴中の暖房を行う場合には、入浴暖房モードを新たに設け、循環用吹出口１３ｃにルーバを設けることにより、入浴者に直接風が当たらないように洗い場以外の方向に風邪の吹出方向を向けることが望ましい。また、入浴暖房では、予備暖房よりもモータ２１の回転数を低回転にして循環用ファン２２から放出される温風量を少なくしてもよい。
【００３２】
また、リモートコントローラの操作により乾燥モードが選択されると、ダンパー３４が開位置に稼動され、循環用ファン２２が回転し、ヒーター２４が通電して、循環用吸入口１３ｂを通じて、導入開口部２３ａから吸い込まれた空気が暖められて循環用吹出口１３ｃより浴室内に吹き出されるとともに、浴室の空気が換気設備８の換気用ファンＦＲＡにより吸い込まれて屋外に排気を行う循環換気を行うことができる。この循環換気によって浴室で衣類の乾燥等を行うことが可能となる。
【００３３】
また、リモートコントローラの操作により涼風モードが選択された場合には、ヒーター２４を通電させない状態で上述した乾燥モードの動作を行うことによって、夏場などに扇風機として利用することができる。
【００３４】
さらに、衣類乾燥とは別に浴室乾燥モードを設けて、浴室壁面を循環用ファン２２と換気設備８の換気用ファンＦＲＡとを駆動させることによって、浴室壁面及び床面を乾燥させるようにしてもよい。
【００３５】
また、乾燥、換気、涼風の室内の空気を換気する機能がある運転モードでは、換気設備８の使用状態によって換気用ファンＦＲＡからの風量に応じて、先の換気、乾燥、涼風運転モード時に必要な所定換気風量が満たされるように、ダンパー３４の開度を単なる開閉だけではなく、開度調整が行われるような構成としても良い。
【００３６】
例えば、図５（ａ）に示すように、換気設備８の換気用ファンＦＲＡによる吸込風量が少ない場合には、ダンパー３４の開度を広くすることによって効率よく換気を行うことが可能になる。また、換気設備８の換気用ファンＦＲＡによる吸込風量が多い場合には、ダンパー３４の開度を狭くすることによって過換気を防ぐことができる。なお、吸込風量に応じてダンパー３４の開閉を行う場合として、ただ単に、換気用開口３３を介して浴室の空気を吸い込ませるためにダンパー３４を開き、吸い込まないようにするためにダンパー３４を閉じるように開閉切り換えを行う構成としても良い。
【００３７】
また、浴室空調装置１０は、洗面所やトイレ等の空気を換気設備８に搬送する集風器（分岐チャンバー）として換気用ユニット３０を機能させることができるとともに、下端部空間３２に開閉可能なダンパー３４が設置されているので、ダンパー３４の開閉調節をおこなうことによって、浴室内の空気を排気用ダクト４０から換気設備８へ送り出す風量調節を行うことが可能となる。
【００３８】
さらに、本発明に係る浴室空調装置１０には、換気ユニット３０に送風用のモータやファンが設けられていないので、浴室空調装置１０の重量の低減を図ることができると共に、構造の簡素化、小型化を図ることが容易となる。また、換気ユニット３０には、モータやファンを必要とせず風路だけが形成されていればよいため、換気ユニット３０を直接的な風路として換気設備８に接続することが可能である。
【００３９】
さらに、換気ユニット３０と循環ユニット２０との２つのユニットが本体部１１内に個別に設置されているので、浴室乾燥を循環ユニット２０で行いつつ、換気ユニット３０で他の部屋から送られてきた空気を換気設備８へと送出することができ、お互いの稼動状況に左右されることなく換気ユニット３０と循環ユニット２０とを使用することができる。
【００４０】
また、換気ユニット３０の上部空間３１を集風器（分岐チャンバー）として用いることができ、浴室に隣接したトイレや脱衣室などのサニタリー空間の換気を上部空間３１を通して行なうことができるので、浴室空調装置１以外に、換気設備８に繋がる集風器（分岐チャンバー）を新たに設ける必要がなくなり、設置スペースの効率化と設置負担の軽減を図ることが可能となる。
【００４１】
例えば、トイレや脱衣所のように通常浴室に隣接して設けられる他室の導入用ダクト４１〜４３を、換気用ファンが設けられていない浴室空調装置１の他室用吸入口４１ａ、４２ａ、４３ａに接続することによって、図４に示すように換気設備８が浴室から離れた位置にある場合には換気設備８にトイレや脱衣所等の全ての導入用ダクト４１〜４３を接続する必要がなくなるので、複数のダクトを換気設備８まで延設させるコストを低減させることができるとともに、施工負担の低減を図ることができる。また、もし複数のダクトを換気設備８に接続させようとしても、ダクトを接続させる吸入口の数に限りがあり、結果として換気装置８とは別に集風器（分岐チャンバー）を設ける必要が生ずるので、このような問題を換気ユニット３０の上部空間３１により解消することが可能となる。
【００４２】
以上、本発明に係る浴室空調装置を、図面を用いて説明したが、本発明に係る上述した実施例に限定されるものではない。例えば、上述した実施例では、本体部１１に３つの他室用吸入口４１ａ、４２ａ、４３ａが形成されたものを説明したが、本発明に係る浴室空調装置は３つの他室用吸入口が連結されるものに限定されるものではなく、他室用吸入口が１又は２個であっても、４個以上であってもよく、また、導入用ダクトが全く連結されていないものであってもよい。また、他室用吸入口が形成されていても閉鎖手段として蓋等を用いて他室用吸入口を閉鎖することができる構造としてもよく、また予め導入用ダクトを連結する予定がない場合であって他室用吸入口を設けない場合であっても、その部分は閉鎖手段によって閉鎖されているものとしても良い。さらに、他室用吸入口に設けられる閉鎖手段の開閉調整を、ダンパー３４のように、換気設備の吸込風量に応じて行う構造とすることも可能である。
【図面の簡単な説明】
【００４３】
【図１】本発明に係る浴室空調装置を示した斜視図である。
【図２】図１に示した浴室空調装置のＡ−Ａ断面を示した断面図である。
【図３】図１に示した浴室空調装置のＢ−Ｂ断面を示した断面図である。
【図４】浴室空調装置から延びる排気用ダクトが換気設備の浴室空気吸入口に連結される状態を示した斜視図である。
【図５】換気設備の吸込風量に応じて開閉度を調節するダンパーの開閉状態を示した図であって、（ａ）吸込風量が少ない場合のダンパーの状態を示し、（ｂ）は吸込風量が多い場合のダンパー状態を示している。
【図６】従来の浴室乾燥機を示した断面図である。
【符号の説明】
【００４４】
８  換気設備
１０  浴室空調装置
１１  本体部
１３  フロントパネル
２０  循環ユニット
２１  モータ
２２  循環用ファン
２４  ヒーター
３０  換気ユニット
３１  上部空間（送通経路）
３３  換気用開口（浴室用吸入口）
３４  ダンパー（開閉手段）
４０  排気用ダクト
４０ａ  排気用開口
４１〜４３  導入用ダクト
４１ａ、４２ａ、４３ａ  他室用吸入口
【図１】
2006046685.tif 000003
【図２】
2006046685.tif 000004
【図３】
2006046685.tif 000005
【図４】
2006046685.tif 000006
【図５】
2006046685.tif 000007
【図６】
2006046685.tif 000008